(57)【要約】【課題】この発明は、構成簡易にして、収納物の濡れ防止を図ったうえで、使い勝手の向上を図り得るようにすることにある。【解決手段】容器本体１０の開口１０１を開閉する蓋体１１の上面に周囲に壁部１２１が立設された第２の収容部１２を設け、この第２の収容部１２を開放可能に閉塞する第２の蓋体１３を、該第２の収容部１２の壁部１２１を囲繞するように設けて構成したものである。【選択図】      図４
2006096415.tif 000002
【特許請求の範囲】
【請求項１】
収容部の上方に開口が設けられた容器本体と、
この容器本体に開閉自在に設けられ、前記収容部の開口を開放可能に閉塞する蓋体と、
この蓋体の上面に設けられ、周囲に壁部が立設された第２の収容部と、
この第２の収容部を開放可能に閉塞する前記壁部を囲繞して装着される第２の蓋体と、
を具備することを特徴とするレジャー用容器。
【請求項２】
第２の収容部は、前記蓋体に一体成形されることを特徴とする請求項１記載のレジャー用容器。
【請求項３】
収容部の上方に開口が設けられた容器本体と、
この容器本体に開閉自在に設けられ、前記収容部の開口を開放可能に閉塞する周囲に壁部が立設された窓部を有する蓋体と、
この蓋体に前記窓部の壁部を囲繞して装着されて該窓部を開放可能に閉塞する第２の蓋体と、
を具備することを特徴とするレジャー用容器。
【請求項４】
前記壁部は、前記蓋体に一体的に形成されることを特徴とする請求項３記載のレジャー用容器。
【請求項５】
前記蓋体の窓部に着脱される収容容器体を備えることを特徴とする請求項３又は４記載のレジャー用容器。
【請求項６】
前記収容容器体には、前記蓋体の壁部を囲繞する鍔部が設けられ、この鍔部を囲繞して前記第２の蓋体が装着されることを特徴とする請求項５記載のレジャー用容器。
【発明の詳細な説明】
【技術分野】
【０００１】
この発明は、例えば魚釣りやハイキング等のスポーツ、レジャー等において屋外で使用するのに好適するレジャー用容器に関する。
【背景技術】
【０００２】
一般に、この種のレジャー用容器においては、容器本体に上方に広く開口された収容部が設けられ、この容器本体の上方には、開口を閉塞するように蓋体がファスナーを用いて開閉自在に設けられる（例えば、特許文献１参照。）。
【０００３】
そして、このようなレジャー用容器は、屋外において、その収容部内に、例えば濡れたら困る衣服等収容物が収容されて、その開口が蓋体により閉塞され、その後、ファスナーが閉じられる。これにより、収容部内の収容物は、屋外において急に雨が降ってきたり、周囲からの水が掛った場合においても、蓋体により水の侵入が防止されて濡れたりすることなく、初期状態に保たれる。
【特許文献１】特許第３３５２３６４号公報
【発明の開示】
【発明が解決しようとする課題】
【０００４】
しかしながら、上記レジャー用容器では、その使用形態が、単に保管だけでなく、例えば収容部に収容した小物を、取り出す必要が生じた場合、その都度、蓋体を容器本体の開口に閉塞するファスナーを、一旦、外して開けて、収容部内の小物を取り出し、その後、蓋体を閉めてファスナーを閉じなければならないため、その使い勝手が劣るという不都合を有する。
【０００５】
特に、雨が降っている状態で取り出すような場合には、蓋体全体を開けると雨が容器本体の開口より収容部内に入り込んで、収容物を濡らしてしまうという不都合を有する。
【０００６】
この発明は上記の事情に鑑みてなされたもので、構成簡易にして、収納物の濡れ防止を図り得、且つ、使用形態の多様化を図り得るようにして、使い勝手の向上を図ったレジャー用容器を提供することを目的とする。
【課題を解決するための手段】
【０００７】
この発明は、収容部の上方に開口が設けられた容器本体と、この容器本体に開閉自在に設けられ、前記収容部の開口を開放可能に閉塞する蓋体と、この蓋体の上面に設けられ、周囲に壁部が立設された第２の収容部と、この第２の収容部を開放可能に閉塞する前記壁部を囲繞して装着される第２の蓋体とを備えてレジャー用容器を構成した。
【０００８】
上記構成によれば、容器本体の蓋体を開いて収容部への収容物の出し入れと、蓋体を閉じた状態で、第２の収容部の第２の蓋体を開いて該第２の収容部への収容物の出し入れが可能となることにより、収容物を容器本体の収容部及び第２の収容部に分離収納する使用形態が可能となる。従って、収容物の使用頻度に応じた分離収納を行うことにより、多様な使用形態が可能となるため、その使い勝手の向上が図れる。
【発明の効果】
【０００９】
この発明によれば、構成簡易にして、収納物の濡れ防止を図り得、且つ、使用形態の多様化を図り得るようにして、使い勝手の向上を図ったレジャー用容器を提供することができる。
【発明を実施するための最良の形態】
【００１０】
以下、この発明の実施の形態について、図面を参照して詳細に説明する。
【００１１】
図１乃至図３は、この発明の第１の実施の形態に係るレジャー用容器を示すもので、図１は容器本体１０に対して蓋体１１を閉じた状態を示し、図２は容器本体１０に対して蓋体１１を開いた状態を示し、図３は蓋体１１の第２の収容部１２から第２の蓋体１３を離脱させた状態を示す。
【００１２】
即ち、容器本体１０には、例えばウレタン等の合成樹脂の発泡材１の両面にポリプロピレン、ナイロン等の合成樹脂繊維の織布２を添着した柔軟な防水性を有した板材３（図４参照）を用いて上方に開口１０１を有した断面略四辺形状の収容部１０２が、一体あるいは接合等の手法により防水構造に形成される。そして、この容器本体１０の開口１０１には、図４に示すようにその周縁に折り返し１０３が形成され、該折り返し１０３には、補強フレーム１４が挿入され、開口縁取りが施される。
【００１３】
上記容器本体１０の開口１０１の一側部には、例えばウレタン等の合成樹脂の発泡材１の両面にポリプロピレン、ナイロン等の合成樹脂繊維の織布２を添着した柔軟な防水性を有した板材３を用いて成形される上記蓋体１１がヒンジ機構１５を介して開閉自在に設けられる。この蓋体１１は、その周囲部に一体的に形成され、略鉛直状に垂下されるスカート部１１１が立設され、このスカート部１１１は、上記容器本体１０の開口１０１を囲繞するように被される。そして、このスカート部１１１は、容器本体１０の開口１０１の周縁部との間に例えばファスナー１６を介して開閉可能に連結される。
【００１４】
これにより、蓋体１１は、そのファスナー１６の結合操作により容器本体１０の開口１０１の開閉が可能となり、その閉状態において、外から雨等の水が掛かった場合にも、そのスカート部１１１が、容器本体１０の開口１０１を囲繞することで容器本体１０の開口１０１からの収容部１０２への水の浸入を防止する。
【００１５】
また、上記蓋体１１には、その上面に例えば略四辺形をした凹状の上記第２の収容部１２が設けられる。この第２の収容部１２の周囲部には、図４に示すように周囲から該第２の収容部１２への水の浸入を防止するために壁部１２１が立設され、この壁部１２１を囲繞するように上記第２の蓋体１３が装着されて開閉可能に閉塞される。この第２の蓋体１３には、その周囲部に一体的に形成され、略鉛直状に垂下されるスカート部１３１が上記第２の収容部１２の壁部１２１に対応して立設され、このスカート部１３１が、上記第２の収容部１２の壁部１２１の外側を囲繞するようにして第２の収容部１２を第２の蓋体１３が開閉可能に閉塞して装着される。これにより、スカート部１３１は、第２の収容部１２の壁部１２１の外側に並設された状態となり、第２の蓋体１３は、蓋体１１の第２の収容部１２の壁部１２１を囲繞するように装着されると、水はスカート部１３１と壁部１２１の両方を迂回しなければ、その内方へ侵入しないため、第２の収容部１２の壁部１２１と協働して、外からの雨等の水の浸入を阻止する。したがって、第２の蓋体１３のスカート部１３１と第２の収容部１２の壁部１２１との間は、間隙を有していてもよく、水の侵入は、阻止されることとなる。また、さらに、第２の収容部１２の壁部１２１にスカート部１３１が接するように形成したので、水の侵入は、より確実に阻止できる。しかも、壁部１２１とスカート部１３１が接することで、第２の収容部１２に装着した第２の蓋体１３が保持されると、第２の蓋体１３の開閉が容易になり、また、風などによって不用意に開くことが防止される。なお、蓋体１１の第２の収容部１２の壁部１２１は、蓋体１１の強度を向上させると共に、加工歪を防止する働きも奏する。
【００１６】
さらに、上記容器本体１０には、持運び用のハンドル１７が、上記蓋体１１の開閉を許容する側壁部に設けられ、このハンドル１７を手にして持ち運びが行われる。
【００１７】
ここで、上記蓋体１１は、例えば図５に示すように上記柔軟な防水性を有した板材３を一対の金型１８１，１８２間に配置して、この一対の金型１８１，１８２を、板材３を挟んで合体させて加熱加工することで、その周囲の上記スカート部１１１、周囲に壁部１２１が立設される第２の収容部１２が一体的に成形される（図６参照）。壁部１２１は、第２の収容部１２の外囲で上方に立ち上がって下方に折り返されて頂部を形成した２重の壁を有し、第２の収容部１２へ一体的に連なっており、２重の壁の間に間隙が形成されている（図４参照）。
【００１８】
上記構成により、容器本体１０の収容部１０２には、ファスナー１６を開けて、蓋体１１をヒンジ機構１５を介して開くことにより、図示しない収容物の出し入れが行われる。その後、蓋体１１は、ヒンジ機構１５を介して反転されて、そのスカート部１１１を容器本体１０の開口１０１の折り返し１０３を囲繞するように閉じた状態で、上記ファスナー１６が閉じられる。ここで、容器本体１０は、その開口１０１の折り返し１０３が蓋体１１のスカート部１１１により覆われることで、その収容部１０２への外部からの水の浸入が防止される。
【００１９】
そして、蓋体１１の第２の収容部１２には、例えば蓋体１１を容器本体１０の開口１０１を閉じた状態において、その壁部１２１を囲繞するように装着した第２の蓋体１３を取り外し、例えば頻繁に使用する可能性のある図示しない小物が収容される。これにより、蓋体１１を容器本体１０の開口１０１を閉じた閉塞状態において、蓋体１１の第２の収容部１２に収容した上記小物が必要になった場合には、第２の蓋体１３を蓋体１１の第２の収容部１２から取り外すことで、取出しが行われる。
【００２０】
また、容器本体１０の収容部１０２に収容した収容物を取り出す場合には、第２の蓋体１３を蓋体１１の第２の収容部１２を閉塞するように装着した状態で、先ず、ファスナー１６を開き、続いて蓋体１１を、ヒンジ機構１５を介して回動させて容器本体１０の開口１０１を開放することで、収容部１０２内の収容物の出し入れが行われる。
【００２１】
このように、上記レジャー用容器は、容器本体１０の開口１０１を開閉する蓋体１１の上面に周囲に壁部１２１が立設された第２の収容部１２を設け、この第２の収容部１２を開放可能に閉塞する第２の蓋体１３を、該第２の収容部１２の壁部１２１を囲繞するように設けて構成した。
【００２２】
これによれば、容器本体１０の蓋体１１を開いて収容部１０２への収容物の出し入れと、蓋体１１を閉じた状態で、第２の収容部１２の第２の蓋体１３を開いて該第２の収容部１２への収容物の出し入れが可能となることにより、収容物を容器本体１０の収容部１０２及び蓋体１１の第２の収容部１２に分離収納する使用形態が実現される。これにより、例えば収容物の使用頻度に応じた分離収納を行うことにより、多様な使用形態が可能となるため、その使い勝手の向上が図れる。
【００２３】
なお、上記説明では、蓋体１１と第２の蓋体１３は、共に可撓性を有するように形成し、上記第２の蓋体１３をそのスカート１３１によって蓋体１１の第２の収容部１２に対してその壁部１２１に嵌合するようにして着脱可能に取付け配置するように構成した場合で説明したが、第２の蓋体１３が蓋体１１に係合するようにしてもよく、その他、例えば図７及び図８に示すように蓋体１１の第２の収容部１２の一側部に可撓性を有した布材等の可撓性部材１９を介して回動式に開閉自在に配するようにしてもよい。
【００２４】
この場合、第２の蓋体１３は、その閉塞位置において、例えばそのスカート部１３１が第２の収容部１２の壁部１２１を囲繞した状態で、相互間の摩擦により閉塞位置に保たれるように構成される。しかし、スカート部１３１が第２の収容部１２の壁部１２１に接しいていなくても、これを囲繞すれば水の浸入を防止することができる。このように、第２の蓋体１３を蓋体１１に対して回動式に開閉可能に組み付け配置することにより、使用中に、海の中にお落としたりする脱落防止が図れるためという効果を奏する。
【００２５】
また、この発明は、上記実施の形態に限ることなく、その他、図９及び図１０、図１１に示すように構成することも可能である。但し、この図９乃至図１１においては、上記図１乃至図６と同一部分について同一符号を付して、その詳細な説明を省略する。
【００２６】
図９及び図１０は、この発明の第２の実施の形態に係るレジャー用容器を示すもので、上記蓋体１１には、周囲に壁部２０が立設された窓部２１が設けられ、この窓部２１には、上方に開口を有する略凹状の収容容器体２２が内装される。この収容容器体２２の周縁には、鍔部２２１が上記窓部２１の壁部２０に対応して設けられ、この鍔部２２１の先端部には、垂下片２２２が上記窓部２１の壁部２０に対向するように設けられる。これにより、収容容器体２２は、蓋体１１の窓部２１に内装されると、その鍔部２２１が窓部２１の壁部２０上に載置されて収容容器体２２が係止され、垂下片２２２が壁部２０を囲繞する如く組み付けられ、窓部２１からの容器本体１０の収容部１０２への水の浸入を防止する。
【００２７】
また、収容容器体２２上には、第２の蓋体２３が装着される。この第２の蓋体２３には、その周囲にスカート部２３１が窓部２１の壁部２０及びこれを囲繞する収容容器体２２の垂下片２２２を囲繞するように設けられ、上記収容容器体２２に装着した状態で、収容容器体２２への水の侵入を防止する。そして、この収容容器体２２には、第２の蓋体２３の着脱により、収容物の収納、あるいは出し入れが行われる。
【００２８】
この第２の実施の形態によれば、容器本体１０の収容部１０２及び収容容器体２２に収容した収容物の濡れ防止を確実に実現したうえで、さらに、第２の蓋体２３を収容容器体２２から離脱させて該収容容器体２２への小物の出し入れを行う使用形態と、該収容容器体２２を蓋体１１の窓部２１から離脱させて蓋体１１の窓部２１からの容器本体１０の収容部１０２への収容物の出し入れを行う使用形態と、蓋体１１を開操作して容器本体１０の開口１０１から収容部１０２への収容物の出し入れを行う使用形態と使用形態の多様化を図ることが可能となる。
【００２９】
図１１は、この発明の第３の実施の形態に係るレジャー用容器を示すもので、上記蓋体１１には、周囲に壁部２０が立設された窓部２１が設けられ、この窓部２１には、第２の蓋体２４が装着される。壁部２０は、窓部２１の周囲が上方へ折曲されて蓋体１１に一体的に形成される。そして、第２の蓋体２４には、その周囲にスカート部２４１が窓部２１の壁部２０を囲繞するように設けられ、該窓部２１の壁部２０を囲繞するように装着した状態で、蓋体１１の窓部２１からの容器本体１０の収容部１０２への水の侵入を防止する。そして、この蓋体１１の窓部２１は、第２の蓋体２４が離脱されて開放されると、収容物の容器本体１０の収容部１０２への出し入れが行われる。
【００３０】
この第３の実施の形態によれば、容器本体１０の収容部１０２に収容した収容物の濡れ防止を確実に実現したうえで、蓋体１１の開操作による容器本体１０の収容部１０２からの収容物の出し入れを行う使用形態と、第２の蓋体２４を、蓋体１１の窓部２１から離脱させることで、蓋体１１を開操作して容器本体１０の開口１０１を開くことなく、容器本体１０の収容部１０２への収容物の出し入れが可能となる。
【００３１】
さらに、この発明の実施の形態に係るレジャー用容器は、上記実施の形態に限ることなく、例えば図１２乃至図１４に示すように構成される。但し、この図１２乃至図１４においては、説明の便宜上、上記図１乃至図１１と同一部分について同一符号を付して、その詳細な説明を省略する。
【００３２】
この図１２乃至図１４に示す第４の実施の形態に係るレジャー用容器は、上記容器本体１０の開口１０１を閉塞する蓋体３０を、ウレタン等の合成樹脂の発泡材１の両面にポリプロピレン、ナイロン等の合成樹脂繊維の織布２を添着した柔軟な板材３の一方面（下面）に硬質の合成樹脂板材４を積重した板材５を用いて金型にて加熱し、押圧成形して変形させて所望の形状に形成するように構成したもので（図１４参照）、上記各実施の形態と略同様の効果が期待される。なお、図１２及び図１３においては、図面の便宜上、例えば携帯用ショルダーベルトや例えば図１に示すハンドル１７を省略し、要部のみを示す。
【００３３】
即ち、上記板材４には、その周縁部に蓋体３０のスカート部３０１を構成する壁部４ａが上記容器本体１０の開口１０１に対応して形成され、その中央部に凹状の第２の収容部４ｂが一対的に設けられる。そして、この第２の収容部４ｂの周囲部には、該第２の収容部４ｂを囲むように壁部４ｃが一体的に立設される。
【００３４】
また、この板材４には、その第２の収容部４ｂの壁部４ｃに沿って溝部４ｄが並設して設けられる。この溝部４ｄは、例えば前後方向（蓋開閉方向）の側壁が開放され、侵入した水が排出可能に形成される。
【００３５】
そして、上記板材４には、その第２の収容部４ｂ及び壁部４ｃを除く壁部４ａ、溝部４ｄの底面に至る上面に上記板材３が積重された板材５により上記蓋体３０が形成される。この板材５で形成された蓋体３０は、例えば図示しないヒンジ機構を介して容器本体１０に対して図１２、図１３の矢印方向に開閉自在に組付けられる。
【００３６】
蓋体３０の第２の収容部４ｂには、例えば板材３で略矩形状に形成される第２の蓋体３１が着脱自在に装着される。この第２の蓋体３１は、例えば可撓性部材３２を介して上記蓋体３０に対して同方向に開閉自在に取付けられる。この第２の蓋体３１の周縁部には、スカート部３１１が上記第２の収容部４ｂの壁部４ｃに対応して、例えば外周方向に傾斜されて設けられ、第２の収容部４ｂの壁部４ｃを囲繞するように該第２の収容部４ｂに、上方の開口を覆う第２の収容部４ｂを閉塞するように被着される。この際、第２の蓋体３１は、そのスカート部３１１が蓋体３０の溝部４ｄの内面に接触して内側に付勢されて変形しながら差し込まれて、溝部４ｄの内面を押圧しながら溝部４ｄに嵌合し、該スカート部３１１の先端が溝部４ｄの底面に配される板材３に当接されることで、蓋体３０の第２の収容部４ｂを閉塞し、水の浸入を阻止する。この時、スカート部３１１は、第２の収容部４ｂの壁部４ｃに押圧されて当接するための第２の収容部４ｂへの水の浸入を確実に阻止する。
【００３７】
この第４の実施の形態によれば、第２の蓋体３１の第２の収容部４ｂへの開閉操作に影響されることなく、容器本体１０内が蓋体３０の板材４により、閉塞されていることで、容器本体１０内の収容物の確実な濡れ防止と第２の収容部４ｂへの水の浸入を防止が実現されるため、さらに使用形態の多様化を図ることが可能となり、その使い勝手の向上を図ることができる。
【００３８】
また、上記各実施の形態では、断面略四辺形状の容器本体１０に適用した場合で説明したが、これに限ることなく、その他、断面略楕円形状等の各種の形状のものに適用することが可能で、いずれにおいても同様の効果が期待される。
【００３９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４１】
【図１】この発明の第１の実施の形態に係るレジャー用容器の蓋体を閉じた状態を示した斜視図である。
【図２】図１の蓋体を容器本体から開いた状態を示した斜視図である。
【図３】図１の蓋体を閉じて該蓋体から第２の蓋体を離脱させた状態を示した分解斜視図である。
【図４】図１の要部を断面して示した断面図である。
【図５】図１の蓋体の成形を行う金型の成形前の状態を示した断面図である。
【図６】図５の金型を合体した成形状態を示した平面図である。
【図７】図１の第２の蓋体の配置構成の変形例示した斜視図である。
【図８】図７の要部を断面して示した断面図である。
【図９】この発明の第２の実施の形態に係るレジャー用容器の蓋体から収容容器体及び第２の蓋体を取り出した状態を示した分解斜視図である。
【図１０】図９の要部を断面して示した断面図である。
【図１１】この発明の第３の実施の形態に係るレジャー用容器の要部を示した断面図である。
【図１２】この発明の第４の実施の形態に係るレジャー用容器の蓋体を容器本体に装着し、蓋体の第２の収容部に第２の蓋体を装着した状態を示した斜視図である。
【図１３】図１２の第２の蓋体を蓋体の第２の収容部から離脱した状態を示した斜視図である。
【図１４】図１２の要部を断面して示した断面図である。
【符号の説明】
【００４２】
１…発泡材、２…織布、３…板材、４…板材、４ａ…壁部、４ｂ…第２の収容部、４ｃ…壁部、４ｄ…溝部、５…板材、５１０…容器本体、１０１…開口、１０２…収容部、１０３…折り返し、１１…蓋体、１１１…スカート部、１２…第２の収容部、１２１…壁部、１３…第２の蓋体、１３１…スカート部、１３２…弾性係止部、１３３…係止爪、１４…補強フレーム、１５…ヒンジ機構、１６…ファスナー、１７…ハンドル、１８１，１８２…金型、１９…可撓性部材、２０…壁部、２１…窓部、２２…収容容器体、２２１…鍔部、２２２…垂下片、２３…第２の蓋体、２３１…スカート部、２４…第２の蓋体、２４１…スカート部、３０…蓋体、３０１…スカート部、３１…第２の蓋体、３１１…スカート部、３２…可撓性部材。
【図１】
2006096415.tif 000003
【図２】
2006096415.tif 000004
【図３】
2006096415.tif 000005
【図４】
2006096415.tif 000006
【図５】
2006096415.tif 000007
【図６】
2006096415.tif 000008
【図７】
2006096415.tif 000009
【図８】
2006096415.tif 000010
【図９】
2006096415.tif 000011
【図１０】
2006096415.tif 000012
【図１１】
2006096415.tif 000013
【図１２】
2006096415.tif 000014
【図１３】
2006096415.tif 000015
【図１４】
2006096415.tif 000016